(57)【要約】【課題】可変絞りの開口径を小さくした場合の照明光の面内光強度分布の均一性の低下を抑え、照度ムラの少ない綺麗な投影像を得ることが可能な投影装置を提供する。【解決手段】照明光を射出する照明光学系と、照明光学系からの照明光を変調し画像表示領域が長方形状のＤＭＤと、開口形状を調整可能な可変絞りを有しＤＭＤによる変調光を可変絞りを介して被投影面に投影する投影光学系と、を備えた投影装置において、照明光学系は、光源と、光源からの光を集光する集光光学系と、集光光学系からの光を面内強度分布の均一性を高めて射出し光軸に垂直な断面が長方形状のロッドインテグレータと、ロッドインテグレータからの光をＤＭＤに導くリレー光学系と、を有し、ロッドインテグレータの射出面とＤＭＤの画像表示領域は共役であり、可変絞りの小絞り時の開口形状は、ＤＭＤの画像表示領域の長辺方向に相当する方向に長い偏平な形状である。【選択図】図１
2010169729.tif 000002
【特許請求の範囲】
【請求項１】
照明光を射出する照明光学系と、該照明光学系からの前記照明光を画像情報に基づき変調し画像表示領域が長方形状のＤＭＤと、開口形状を調整可能な可変絞りを有し前記ＤＭＤによる変調光を該可変絞りを介して被投影面に投影する投影光学系と、を備えた投影装置において、
前記照明光学系は、光源と、該光源から射出した光を集光する集光光学系と、該集光光学系によって集光されて入射面から入射した光を面内強度分布の均一性を高めて射出面から射出し光軸に垂直な断面が長方形状のロッドインテグレータと、該ロッドインテグレータの射出面から射出した光を前記ＤＭＤに導くリレー光学系と、を有し、
前記ロッドインテグレータの前記射出面と前記ＤＭＤの前記画像表示領域は共役であり、
前記可変絞りの小絞り時の開口形状は、前記ＤＭＤの前記画像表示領域の長辺方向に相当する方向に長い偏平な形状であることを特徴とする投影装置。
【請求項２】
前記可変絞りの小絞り時の開口形状の偏平率は、前記ＤＭＤの前記画像表示領域の長辺と短辺との比よりも大きいことを特徴とする請求項１に記載の投影装置。
【請求項３】
前記可変絞りが小絞り時に、該可変絞りの開口を通過できる光源像の数は、前記ＤＭＤの前記画像表示領域の長辺方向に相当する方向および短辺方向に相当する方向に、それぞれ３つ以上であることを特徴とする請求項１または２に記載の投影装置。
【請求項４】
前記リレー光学系は、前記投影光学系が有する前記可変絞りと光学的に等価な開口形状の可変絞りを有し、２つの該可変絞りは、連動して同じ開口形状になるように制御されることを特徴とする請求項１から３の何れか１項に記載の投影装置。
【発明の詳細な説明】
【技術分野】
【０００１】
本発明は、投影装置に関し、特に、ロッドインテグレータ、及び可変絞りを備えた投影装置に関する。
【背景技術】
【０００２】
近年、デジタル・マイクロミラー・デバイス（以下、「ＤＭＤ」とも記する）等の画像表示素子によって変調された照明光を、スクリーン等の被投影面に投影する投影装置が、ホームシアター用プロジェクタ等として広く用いられるようになってきた。
【０００３】
このような投影装置は、通常、照明光を射出する照明光学系、照明光学系からの照明光を画像情報に応じて変調する画像表示素子、及び画像表示素子により変調された変調光をスクリーン等の被投影面に投影する投影光学系等を備えている。
【０００４】
このような構成の投影装置において、従来、照明光学系として、ロッドインテグレータを有する照明光学系が知られている（例えば、特許文献１参照）。特許文献１に記載の照明光学系によれば、光源から射出された照明光は、ロッドインテグレータに入射し内面反射を繰り返してから射出されることとなる為、光源から射出される照明光の面内光強度分布が均一でない場合であっても、ロッドインテグレータの作用によって、照明光学系から射出される照明光をより均一な面内光強度分布を有する照明光とすることが可能となる。そして、このような略均一な面内光強度分布を有する照明光を画像表示素子の画像表示領域に照射することにより、投写面に投影される画像の明るさを略均一なものとすることが可能となる。
【０００５】
ところで、ロッドインテグレータの光射出面と画像表示素子の画像表示領域とは共役の関係となる為、ロッドインテグレータの光射出面の形状と画像表示領域の平面形状とは略相似の関係となる。通常、画像表示領域における照明光軸に直交する縦方向の寸法と照明光軸に直交する横方向の寸法とは異なる（例えば、縦横比が３：４又は９：１６である）ことから、ロッドインテグレータの光射出面も同様に縦方向の寸法と横方向の寸法とが異なることとなる。これにより、従来の照明光学系においては、以下のような問題があった。
【０００６】
図４は、ロッドインテグレータ内を進行する照明光の内面反射の様子を示す図である。
【０００７】
図４（ａ）は、ロッドインテグレータ１５を上から（長辺方向）見た図、図４（ｂ）は、ロッドインテグレータ１５を横から（短辺方向）見た図、図４（ｃ）は、ロッドインテグレータ１５の光射出面１５ｏを示す図である。
【０００８】
尚、ここでは、照明光学系を、画像表示領域の縦横比が３：４の平面視長方形状である画像表示素子を有する投影装置に用いる場合について例示して説明している為、ロッドインテグレータ１５の光射出面１５ｏは、縦横比が３：４の平面視長方形状からなる形状を有している（図４（ｃ）参照）。また、ロッドインテグレータ１５の光入射面１５ｉも、光射出面１５ｏと同様の形状を有している。
【０００９】
このようなロッドインテグレータ１５を有する照明光学系においては、図４に示すように、ロッドインテグレータ１５の光射出面１５ｏにおける縦方向（短辺１５ｓ方向）の寸法Ｄｓと横方向（長辺１５ｌ方向）の寸法Ｄｌとが異なる為、図４（ａ）に示す長辺方向から入射する照明光と、図４（ｂ）に示す短辺方向から入射する照明光とでは、内面反射回数に違いが生じてしまう。すなわち、ロッドインテグレータ１５の光入射面１５ｉに対して短辺方向から入射する照明光（図４（ｂ）に示す照明光）よりも、ロッドインテグレータ１５の光入射面１５ｉに対して長辺方向から入射する照明光（図４（ａ）に示す照明光）の方が、内面反射回数が少なくなり、光均一化効果が弱められてしまう。この為、所定の光均一化効果を得る為には、ロッドインテグレータ１５の長さを長くする必要が生じてしまうという問題があった。また、その結果、照明光学系を小型化するのが容易ではないという問題があった。そこで、このような問題に対応する為、種々の方法が検討されている。
【００１０】
例えば、光源とロッドインテグレータとの間に、ロッドインテグレータの光入射面に対し長辺方向の屈折力が短辺方向の屈折力よりも大きなアナモフィックレンズを備える構成とし、長辺方向から入射する照明光の入射角度を短辺方向から入射する照明光の入射角度に比べて大きくすることで、照明光の面内光強度分布をより均一にするようにした投影装置が知られている（特許文献２参照）。係る投影装置においては、長辺方向から入射する照明光は、より深い角度で（短辺方向から入射する照明光の反射角度よりも小さな反射角度で）全反射しながらロッドインテグレータ内を進行することとなる為、内面反射回数が短辺方向から入射する照明光に比べて少なくなってしまうのを抑制するものである。その結果、照明光学系から射出される照明光の面内光強度分布をより均一にするものである。
【先行技術文献】
【特許文献】
【００１１】
【特許文献１】特開２００２−９０８８３号公報
【特許文献２】特開２００７−６５０１６号公報
【発明の概要】
【発明が解決しようとする課題】
【００１２】
このように、特許文献２に記載の照明光学系は、アナモフィックレンズにより、ロッドインテグレータの長辺方向から入射する照明光の内面反射回数を増やし、長辺方向の光源像の数を増やすことにより、照明光学系から射出される照明光の面内光強度分布をより均一にするものである。
【００１３】
しかしながら、長辺方向から入射する照明光の入射角度を大きくすることにより、ＮＡ（Ｎｕｍｅｒｉｃａｌ  Ａｐｅｒｔｕｒｅ：開口数）が大きくなる。また、長辺方向の光源像の数は増加するが、その分布ピッチは、アナモフィックレンズが備わっていない場合と変わらず、短辺方向の分布ピッチよりも疎である。これらにより、コントラストを高める為に可変絞りの開口径を小さく、すなわち、小絞りにした場合には、絞りを通過する長辺方向の光源像の数が短辺方向の光源像の数よりも大きく減少し、照明光学系から射出される照明光の面内光強度分布の均一性が低下するという問題がある。
【００１４】
本発明は、上記課題を鑑みてなされたもので、ロッドインテグレータ、及び可変絞りを設けた投影装置において、可変絞りの開口径を小さくした場合の照明光の面内光強度分布の均一性の低下を抑え、照度ムラの少ない綺麗な投影像を得ることが可能な投影装置を提供することを目的とする。
【課題を解決するための手段】
【００１５】
上記目的は、下記の１から４の何れか１項に記載の発明によって達成される。
【００１６】
１．照明光を射出する照明光学系と、該照明光学系からの前記照明光を画像情報に基づき変調し画像表示領域が長方形状のＤＭＤと、開口形状を調整可能な可変絞りを有し前記ＤＭＤによる変調光を該可変絞りを介して被投影面に投影する投影光学系と、を備えた投影装置において、
前記照明光学系は、光源と、該光源から射出した光を集光する集光光学系と、該集光光学系によって集光されて入射面から入射した光を面内強度分布の均一性を高めて射出面から射出し光軸に垂直な断面が長方形状のロッドインテグレータと、該ロッドインテグレータの射出面から射出した光を前記ＤＭＤに導くリレー光学系と、を有し、
前記ロッドインテグレータの前記射出面と前記ＤＭＤの前記画像表示領域は共役であり、
前記可変絞りの小絞り時の開口形状は、前記ＤＭＤの前記画像表示領域の長辺方向に相当する方向に長い偏平な形状であることを特徴とする投影装置。
【００１７】
２．前記可変絞りの小絞り時の開口形状の偏平率は、前記ＤＭＤの前記画像表示領域の長辺と短辺との比よりも大きいことを特徴とする前記１に記載の投影装置。
【００１８】
３．前記可変絞りが小絞り時に、該可変絞りの開口を通過できる光源像の数は、前記ＤＭＤの前記画像表示領域の長辺方向に相当する方向および短辺方向に相当する方向に、それぞれ３つ以上であることを特徴とする前記１または２に記載の投影装置。
【００１９】
４．前記リレー光学系は、前記投影光学系が有する前記可変絞りと光学的に等価な開口形状の可変絞りを有し、２つの該可変絞りは、連動して同じ開口形状になるように制御されることを特徴とする前記１から３の何れか１項に記載の投影装置。
【発明の効果】
【００２０】
本発明によれば、投影光学系に設けた可変絞りの小絞り時の開口形状を、ＤＭＤの画像表示領域の長辺方向に相当する方向に長い偏平な形状とした。
【００２１】
これにより、小絞り時に、可変絞りを通過するＤＭＤの画像表示領域の長辺方向に相当する方向の光源像、すなわちロッドインテグレータの入射面に対して長辺方向から入射する照明光の光源像の数を増やすことができる。その結果、可変絞りの開口径を小さくした場合の照明光の面内光強度分布の均一性の低下を抑え、照度ムラの少ない綺麗な投影像を得ることができる。
【図面の簡単な説明】
【００２２】
【図１】本発明の実施形態に係る投影装置の概略構成を示す図である。
【図２】光源像の分布の様子を示す図である。
【図３】可変絞りの概略構成を示す図である。
【図４】ロッドインテグレータ内を進行する照明光の内面反射の様子を示す図である。
【図５】可変絞りの小絞り時の開口形状の別例を示す図である。
【発明を実施するための形態】
【００２３】
以下図面に基づいて、本発明に係る投影装置の実施の形態を説明する。尚、本発明を図示の実施の形態に基づいて説明するが、本発明は該実施の形態に限られない。
【００２４】
最初に、投影装置の概略構成を図１を用いて説明する。図１は、投影装置１の概略構成を示す図である。
【００２５】
投影装置１は、照明光を射出する照明光学系１９、照明光学系１９からの照明光を画像情報に基づき変調するＤＭＤ２４、及び開口形状を調整可能な可変絞り４０を有しＤＭＤ２４による変調光を可変絞り４０を介して被投影面に投影する投影光学系２０等から構成される。
【００２６】
照明光学系１９は、放電ランプ１１（光源）、放電ランプ１１から射出した光を集光するランプリフレクタ１２（集光光学系）、ランプリフレクタ１２によって集光されて入射面から入射した光を面内強度分布の均一性を高めて射出面から射出するロッドインテグレータ１５、及びロッドインテグレータの射出面から射出した光をＤＭＤ２４に導くリレー光学系１８等から構成される。
【００２７】
光源としては、白色光を発し、単位面積当たりの光量が大きい放電ランプ１１を用いることが好ましい。放電ランプ１１の種類に特に制限はなく、超高圧水銀ランプやメタルハライドランプ等、投影装置１に用いられる光源ランプの中から適宜選択して用いることができる。
【００２８】
本発明における集光光学系に該当するランプリフレクタ１２は楕円面からなる反射面を有し、その焦点位置に放電ランプ１１が配置されている。その為、放電ランプ１１からの光束は収束光として射出し、カラーホイール１４に入射する。この他、集光光学系としては、放物面を有するランプリフレクタを用いて、ランプリフレクタから射出した平行光を、コンデンサーレンズを用いて収束光とする構成とすることもできる。
【００２９】
カラーホイール１４は、Ｒ（赤色）、Ｇ（緑色）、Ｂ（青色）の波長の光をそれぞれ透過させる３色のカラーフィルターで構成される。これを回転させることで照明光の色が時間的に順次切り替る為、各色に対応した画像情報をＤＭＤ２４に順次切り替えて表示することにより、投影像をカラー化することができる。カラーフィルターは、Ｒ、Ｇ、Ｂの３色の組み合わせに限られず、例えば、Ｃ（シアン）、Ｍ（マゼンタ）、Ｙ（イエロー）の３色の組み合わせ等、カラー画像の表示が可能な他の組み合わせを用いてもよい。また、カラーホイール１４は、モノクロ画像の投影装置や、各色毎にＤＭＤと照明光学系とを備えた形態の投影装置の場合には省略することもできる。
【００３０】
カラーホイール１４を通過した光束は、ロッドインテグレータ１５に入射する。ロッドインテグレータ１５は、ガラスからなり、光軸に垂直な断面が長方形状の細長い四角柱に形成されている。ロッドインテグレータ１５に入射した光束は、壁面で全反射を繰り返すことでミキシングされ、ロッドインテグレータ１５の射出面では、面内光強度分布の均一性が高められる。
【００３１】
ロッドインテグレータ１５から射出した光束は、ロッドインテグレータ１５での反射回数に応じて、リレー光学系１８の瞳位置に複数の光源像を形成し、これらを重畳してＤＭＤ２４を照明することにより、均一性の高い照明が実現される。尚、ロッドインテグレータ１５の詳細は、前述の図４での説明と概ね同様なので省略する。
【００３２】
図２（ａ）にリレー光学系１８の瞳位置に形成される複数の光源像Ｋの分布の様子を示す。図２（ａ）において、紙面左右方向がロッドインテグレータ１５の射出面１５ｏの長辺方向に相当する。
【００３３】
図２（ａ）に示すように、ロッドインテグレータ１５の壁面で反射し折り返した位置で、光源像Ｋが分布し、ロッドインテグレータ１５の長辺方向に相当する方向の分布ピッチＰｌは、短辺方向の分布ピッチＰｓよりも大きくなる。
【００３４】
図１に戻って、ロッドインテグレータ１５の後方には、リレー光学系１８、プリズムユニット２３、ＤＭＤ２４が配設され、ロッドインテグレータ１５から射出した光は、リレー光学系１８を経て、ＤＭＤ２４を照明する。ＤＭＤ２４からの反射光の内、ＯＮ光が、再びプリズムユニット２３を経て、投影光学系２０に入射し、スクリーンに画像が投影される。
【００３５】
リレー光学系１８は、３つのレンズ１６ａ、１６ｂ、１６ｃ、及び可変絞り１７等から構成され、プリズムユニット２３と共に機能して、ロッドインテグレータ１５の射出面１５ｏから射出した光をＤＭＤ２４に導く。ロッドインテグレータ１５の射出面１５ｏは、ＤＭＤ２４の画像表示領域と共役であり、ロッドインテグレータ１５の射出面１５ｏの形状をＤＭＤ２４の画像表示領域と略相似形にすることにより、効率よく照明できる。したがって、ロッドインテグレータ１５の断面の長辺方向は、ＤＭＤ２４の長方形状の画像表示領域の長辺方向に相当する。
【００３６】
プリズムユニット２３は、第１プリズム２１、第２プリズム２２の２つのプリズムから構成されている。第１プリズム２１は、第１入射面２１ａ、臨界面２１ｂ、第１射出面２１ｃを有し、第２プリズム２２は、第２入射面２２ａ、第２射出面２２ｂを有する。第１プリズム２１の臨界面２１ｂと第２プリズム２２の第２入射面２２ａは、空気層を介して対向して配置されている。
【００３７】
さらに、第１プリズム２１の第１入射面２１ａにエントランスレンズ１６ｃが貼り合わされている。エントランスレンズ１６ｃは、照明光をテレセントリックにする為に設けられている。尚、第１プリズム２１の入射面２１ａを曲面にして、エントランスレンズ１６ｃの機能を持たせてもよい。
【００３８】
リレー光学系１８からの照明光は、エントランスレンズ１６ｃを経て、第１入射面２１ａから第１プリズム２１に入射する。第１プリズム２１の臨界面２１ｂは、入射した照明光が全反射するように配置されており、照明光は臨界面２１ｂで反射されて、第１プリズム２１の第１射出面２１ｃから射出し、ＤＭＤ２４を照明する。
【００３９】
反射型の画像表示素子であるＤＭＤ２４は、多数のマイクロミラーがマトリックス状に配置された画像表示領域を有し、そのマイクロミラー１枚で表示画像の１画素を構成するものである。マイクロミラーの傾きは個別に駆動制御される構成になっており、各マイクロミラーはＯＮ状態とＯＦＦ状態との２つの傾き状態をとり得るようになっている。ＯＮ状態のマイクロミラーでは投影光学系２０に向けて照明光が反射され、ＯＦＦ状態のマイクロミラーでは投影光学系２０に入らない方向に照明光が反射される。したがって、ＯＮ状態のマイクロミラーで反射された光のみが投影光学系２０によってスクリーンに到達し、目的とする画像がスクリーンに表示される。
【００４０】
ＤＭＤ２４は長方形状の画像表示領域を有し、ＤＭＤ２４の各画素（マイクロミラー）は、画像表示領域の長辺および短辺と４５度の角度をなす偏向軸を有し、画素は偏向軸を中心に±１２°偏向し、照明光の反射方向を偏向させることにより、画像表示を行う。画像表示状態（ＯＮ状態）にて画素で反射された光束、すなわち投影光（変調光）は、第１プリズム２１の第１射出面２１ｃから再び第１プリズム２１に入射し、第１プリズム２１の臨界面２１ｂに到達する。投影光は、全反射条件を満たさない角度で臨界面２１ｂに入射する為、臨界面２１ｂを透過し、空気層を経て、第２入射面２２ａから第２プリズム２２に入射する。そして、第２プリズム２２の第２射出面２２ｂから射出し、投影光学系２０に入射する。
【００４１】
投影光学系２０は、４つのレンズ２０ａ、２０ｂ、２０ｃ、２０ｄ、及び可変絞り４０等から構成され、プリズムユニット２３から射出した投影光をスクリーンに投影する。
【００４２】
リレー光学系１８の瞳位置と投影光学系２０の瞳位置は光学的に共役な関係になるように構成されており、リレー光学系１８の瞳位置に形成された前述の図２（ａ）で示したような光源像Ｋが、同様に、投影光学系２０の瞳位置にも形成される。
【００４３】
ここで、リレー光学系１８に設けられた可変絞り１７、及び投影光学系２０に設けられた可変絞り４０の構成を図３を用いて説明する。図３（ａ）は、可変絞り１７の絞り開口が最も開いた開状態を示す図、図３（ｂ）は、絞り開口が最も閉じた閉状態を示す図である。尚、可変絞り４０の構成、開口形状は、可変絞り１７の場合と同様なので、その説明は省略する。
【００４４】
可変絞り１７は、開状態の開口形状１７１ｏを決定する固定絞り板１７１、及び２つの可変絞り羽根１７３等で構成されている。
【００４５】
可変絞り羽根１７３の２つの回動軸にはそれぞれギア１７５が設けられ互いに噛合うように配置されている。
【００４６】
回動軸の一方には絞り駆動モータ３３が連結され、絞り駆動モータ３３の回転により一方の可変絞り羽根１７３が移動し、ギア１７５を介して他方の可変絞り羽根１７３を反対方向に移送させることで、開口状態を変化させる。
【００４７】
このような構成の可変絞りは、投影光学系２０とリレー光学系１８に設けられており、投影光学系２０の可変絞り４０とリレー光学系１８系の可変絞り１７が連動して、光学的に等価な開口形状となるように絞り制御部３６によって制御されている。ここで、光学的に等価な開口形状とは、リレー光学系１８と投影光学系２０のそれぞれの絞りが光学的に略共役な位置関係にあり、一方の絞り開口の光学像の形状と他方の絞り開口の形状とが略一致することをいう。
【００４８】
画像表示素子としてＤＭＤ２４を用いた場合のコントラスト低下の原因は、主に表示面で発生する散乱である。黒表示（ＯＦＦ状態）のとき、マイクロミラーからの反射光は、投影光学系２０に入らないようになっているが、マイクロミラーのエッジ等の散乱成分があり、そこで発生する散乱光が投影光学系２０に入り込んでスクリーンに到達し、黒レベルを上げてしまう。このような散乱光は、投影光学系２０の可変絞り４０を絞り込むことによって効果的に減らすことができる。その為、画像表示素子としてＤＭＤ２４を用いた場合、投影光学系２０の可変絞り４０の開口径を小さくすることによるコントラストの向上効果が非常に大きい。
【００４９】
前述の図２（ａ）に可変絞り１７（４０）が開状態の開口形状１７１ｏを、図２（ｂ）に可変絞り１７（４０）が閉状態の開口形状１７３ｃを示す。これらの開口形状１７１ｏ、１７３ｃの内側が有効な光束が通過する範囲である。
【００５０】
図２（ｂ）に示すように、可変絞り１７の小絞り時の開口形状１７３ｃを、ＤＭＤ２４の画像表示領域の長辺方向に相当する方向に長い偏平な形状にすることにより、開口面積が同じでも通過するＤＭＤ２４の長辺方向の光源像Ｋの数を増やすことができる。尚、光源像Ｋの重畳効果を高める為には少なくともその方向に３つ以上の光源像Ｋがあることが望ましい。
【００５１】
また、光源像Ｋの大きさ（面積）の占める割合は長辺方向の方が短辺方向に比べて小さく、短辺方向よりも均一性が劣るので、短辺方向より多くの光源像Ｋを通過させるのが望ましい。その為、閉状態の開口形状１７３ｃの偏平率をＤＭＤ２４のアスペクト比（長辺／短辺）より大きくすることで、充分均一な面内強度分布の投影像を得ることができる。ここで、偏平率とは、図３（ｂ）に示すように、ＤＭＤ２４の画像表示領域の長辺方向に相当する方向の最大開口寸法ＡとＤＭＤ２４の画像表示領域の短辺方向に相当する方向の最大開口寸法Ｂとの比Ａ／Ｂである。
【００５２】
また、リレー光学系１８に設けられた可変絞り１７により、本来、投影光学系２０を通過しない成分の光束がＤＭＤ２４に到達し、散乱されて不要光であるにもかかわらず投影光学系２０を通過してしまうのを防ぎ、より沈んだ黒を表現でき、コントラストをさらに高めることができる。
【００５３】
このように本発明の実施形態に係る投影装置１においては、投影光学系２０に設けた可変絞り４０の小絞り時の開口形状１４１ｃを、ＤＭＤ２４の画像表示領域の長辺方向に相当する方向に長い偏平な形状とした。
【００５４】
これにより、小絞り時に、可変絞り４０を通過するＤＭＤ２４の画像表示領域の長辺方向に相当する方向の光源像Ｋ、すなわちロッドインテグレータの入射面に対して長辺方向から入射する照明光の光源像Ｋの数を増やすことができる。その結果、可変絞り４０の開口径を小さくした場合の照明光の面内光強度分布の均一性の低下を抑え、照度ムラの少ない綺麗な投影像を得ることができる。
【００５５】
以上、本発明を実施の形態を参照して説明してきたが、本発明は前述の実施の形態に限定して解釈されるべきでなく、適宜変更、改良が可能であることは勿論である。例えば、可変絞り１７、４０の小絞り時の開口形状１７３ｃは、図３（ｂ）に示したような楕円形に限らず、図５（ａ）〜図５（ｄ）に示すような種々の形状が考えられる。また、前述の実施の形態においては、単一のＤＭＤ２４とカラーホイール１４を備えた構成の投影装置１について説明したが、Ｒ、Ｇ、Ｂの各色に対応した３つのＤＭＤと色分解・合成を行うカラープリズムを備えた構成の投影装置に適用してもよい。
【符号の説明】
【００５６】
１  投影装置
１１  放電ランプ
１２  ランプリフレクタ
１４  カラーホイール
１５  ロッドインテグレータ
１６ａ、１６ｂ、１６ｃ  リレーレンズ
１７、４０  可変絞り
１７１  固定絞り板
１７３  可変絞り羽根
１７５  ギア
１８  リレー光学系
１９  照明光学系
２０  投影光学系
２０ａ、２０ｂ、２０ｃ、２０ｄ  投影レンズ
２１  第１プリズム
２２  第２プリズム
２３  プリズムユニット
２４  ＤＭＤ
３３  絞り駆動モータ
３６  絞り制御部
【図１】
2010169729.tif 000003
【図３】
2010169729.tif 000004
【図４】
2010169729.tif 000005
【図５】
2010169729.tif 000006
【図２】
2010169729.tif 000007